(57)【要約】      （修正有）【課題】入手しやすく、コストも低い粘着テープロールを使用して、簡単に書類を綴じることの出来る道具を提供する。【解決手段】紙束にパンチで通し穴を開け、紙束の表裏を折り曲げられた粘着テープで覆い、穴部分の粘着面同士を圧接することで書類を綴じる方法を採用して、粘着テープをスリットに通したり輪にしたり、といった複雑な機構を廃し、パンチ機構と粘着テープの繰り出し機構とテープライナー２ａを紙束に押し付ける圧接機構をひとつにまとめ、一回のハンドル操作で、パンチと紙束片面への粘着テープの貼付を可能とした。【選択図】図９
2016055616.tif 000002
【特許請求の範囲】
【請求項１】
紙束の隅部に開けられ貫通した穴を粘着テープによって表と裏から塞ぎ、該粘着テープの粘着面同士を該穴部において圧接させて該紙束を綴じるための道具であって、該紙束に貫通穴を開けるパンチ機構と、巻回された粘着テープロールからテープライナーを引き出す繰り出し機構と、該テープライナーの端部を該紙束に押し付ける圧接機構とからなり、該パンチ機構と該繰り出し機構と該圧接機構が、ひとつのハンドルの操作によって同時並行的に動作することを特徴とする粘着テープを使用した書類綴じ具。
【請求項２】
前記パンチ機構は、前記ハンドルで押し下げられるパンチで前記紙束に前記貫通した穴を開けた後に、該ハンドルをさらに操作することによって該パンチを上昇させて該紙束から該パンチを抜くことを特徴とする請求項１項記載の粘着テープを使用した書類綴じ具。
【請求項３】
前記パンチ機構と前記繰り出し機構と前記圧接機構に加え、使用者によって所定の長さに引き出された前記テープライナーを切断するためのカッターを備え、該カッターは前記ハンドルを戻す操作によって動作することを特徴とする請求項１項記載の粘着テープを使用した書類綴じ具。
【発明の詳細な説明】
【技術分野】
【０００１】  本発明は、書類等の複数の紙葉の綴じ具に関するものである。
【背景技術】
【０００２】  書類を綴じる道具や装置は多く利用されている。例えば金属針を使用したステープラーは簡便な操作で確実な効果をもたらす。また、綴じられた書類をシュレッダーで裁断することや廃棄することを考慮して、紙製の針を使用するものもある。さらに粘着テープを、書類に開けたスリットに通し、粘着テープの輪をつくって綴じるものも知られている。【０００３】  これらのうち、粘着テープを使用するものは、綴じた跡が出っ張らず廃棄や裁断に際して容易であるため大きな利点を有し、専用の綴じ用テープを用いるタイプと汎用の粘着テープロールを使用するタイプの２種類が知られている。【０００４】  特許文献１は専用の綴じ用テープを使うもので、一定の長さに切断され裏面に粘着材が塗布された紙針が剥離紙上にならべられ巻回されたロールを使用する。【０００５】  特許文献２は、汎用の粘着テープロールから粘着テープを繰り出して紙束に開けられたスリットに通した後、その先端を再度、表面に折り返して粘着テープによる輪を作って綴じるものである。【０００６】  特許文献３は、粘着テープを一定の長さに切断し、両端を紙束の２箇所のスリットに通し、裏面で両端を折って紙に粘着させて綴じるものである。
【先行技術文献】
【特許文献】
【０００７】
【特許文献１】特開平８−３９９５９号公報
【特許文献２】特開平７−１９５８６２号公報
【特許文献３】特開２０００−２５３７７号公報
【発明の概要】
【発明が解決しようとする課題】
【０００８】  しかしながら特許文献１の例においては、専用の綴じ用テープの供給上の問題があり、また、綴じ用テープの製造コストも高い。【０００９】  特許文献２および特許文献３の例においては、粘着テープから引き出されたライナーの端部をスリットあるいは穴に通すための機構及び裏面で折り返す機構が必要で複雑になる。【００１０】  以上のように、従来知られている方法では、専用の綴じ用テープの必要性や複雑な機構によりコストが高い欠点を有する。
【課題を解決するための手段】
【００１１】  本発明は、粘着テープを使う綴じ方法として、紙束にパンチで通し穴を開け、紙束の表裏を折り曲げられた粘着テープで覆い、穴部分の粘着面同士を圧接することで書類を綴じる方法を採用して、粘着テープをスリットに通したり輪にしたり、といった複雑な機構を廃し、パンチ機構と粘着テープの繰り出し機構とテープライナーを紙束に押し付ける圧接機構をひとつにまとめ、一回のハンドル操作で、パンチと紙束片面への粘着テープの貼付を可能とした。【００１２】  さらに、ハンドルを押し下げて通し穴を穿ちテープライナーを粘着テープロールより引き出し紙束片面に貼り付けた後、ハンドルを握ったまま紙束を引き抜けるように、ハンドル操作でパンチを引き抜き復帰させる構成とした。【００１３】  さらに、ハンドルを握ったままで、紙束を引き抜きながら粘着テープを任意の長さまで引き出した後、ハンドルを戻すことにより引き出されたテープライナーを切断するカッターを作動させる構成とした。
【発明の効果】
【００１４】  以上の構成により、ハンドルを押し下げるだけの動作で、紙束への穴開けと粘着テープのテープライナー端部を紙束に仮止めする複数の工程が、簡単に実現できる。【００１５】  また、押し下げられて紙束を貫通したパンチを元の位置に復帰させることで、本体を持ち替える等の手間なしに、紙束を本体から引き抜くことが可能となる。【００１６】  さらに、引き抜いた紙束を片手で保持したまま、本体を動かして任意の長さのテープライナーを引き出した後、ハンドルを戻すだけで切断できるので、切断後、本体を保持していた手指で紙束の外側に伸びているテープライナーを折り返しすべての動作が完結する。【００１７】  以上のように、本発明の効果は明らかなものである。
【図面の簡単な説明】
【００１８】
【図１】本発明の前提条件となる紙束を綴じる方法をしめした外観斜視図である。
【図２】本発明の実施例に於ける外観斜視図である。
【図３】本発明の実施例に於けるもうひとつの外観斜視図である。
【図４】本発明の実施例に於ける一部分のハンドルの分解斜視図である
【図５】本発明の実施例に於ける一部分のハンドルのもうひとつの分解斜視図である。
【図６】本発明の実施例に於ける全体の分解斜視図である。
【図７】本発明の実施例に於ける使用時の斜視図である。
【図８】図７の部分拡大斜視図で構成要素となる部品だけを表している。
【図９】本発明の実施例に於ける使用時のもうひとつの斜視図である。
【図１０】本発明の実施例に於けるカッター動作を示す斜視図で構成要素となる部品だけを表している。
【発明を実施するための形態】
【００１９】  以下、本発明の実施の形態を、図を基に説明する。
【００２０】  図１に本発明の前提条件となる、紙束を綴じる方法を示した。綴じる前と綴じられた後の二つの状態を上下に並べている。
紙束１の隅部に貫通した通し穴１ａが開いている。任意の長さのテープライナー２ａを、通し穴１ａを覆うように紙束片面に粘着させ、右側に伸びた余長部分を折り返して紙束を挟むように裏側に粘着させる。通し穴１ａ部分の表裏を指で押さえて粘着面同士を圧接させることにより紙束１を綴じることができる。
【００２１】  図２及び図３によって概略構成を説明する。
本体３は、ベース３０及びハンドル３４及びロールホルダー３７の主要部分からなる。ロールホルダー３７は内側に粘着テープロール２を回転可能に保持し、ベース３０に対して送りローラー回転中心３０５において軸支され、ロールホルダー静止位置４から反時計方向にわずかに回転することができる。
【００２２】  ベース３０に設けられたスリット３０１に紙束１（図示省略）を差し込む。また作用壁３０２が固定されている。
【００２３】  図４及び図５によってハンドル３４の構成を説明する。
ベース３０（図示省略）に軸支されるハンドル回転軸３４３はハンドル戻しバネ３４５を通した後、ハンドル本体３４０と一体に固定される。ハンドル回転軸３４３の一端にはラチェット爪３４３ａが形成されている。ラチェット溝３４４ａを有したハンドルギア３４４が勘合する。ハンドル本体３４０の一部を突出させてカッター突き出し部３４ａが形成されている。
【００２４】  ハンドル本体３の裏面にはスライダー３４１がスライド可能に支持されており、スライダー戻しバネ３４２によって、左側に引っ張られている。スライダー３４１にはパンチ突き出し部３４１ａと斜面部３４１ｂが形成されている。
【００２５】  図６によって全体の詳細な構成を説明する。
【００２６】  ベース３０の前方（図で左下）にはカッター３３が軸支されカッター回転中心３０７を軸として時計方向に回転可能である。カッター戻しバネ３３２がカッター３３を常に反時計方向に付勢している。なお図示された状態ではカッター３３は時計方向に回され規制された位置をとっている。
【００２７】  パンチ３１が上下方向に移動可能にベース３０に支持されている。パンチ面はこの図では隠れている。パンチ戻しバネ３２が常にパンチ３１を上方に付勢している。
【００２８】  送りローラー軸３５にはシリコンリング３５１が嵌められテープライナー２ａの粘着面に接触してテープライナー２ａを繰り出す。送りローラー軸３５は、まずロールホルダー３７の送りローラー支持穴３７１（対面省略）に通され外側からフリクションバネ３５２を挿入した後、送りローラーギア３５３が嵌められて一体となる。
【００２９】  押さえローラー軸３６は、ロールホルダー３７の押さえローラー支持穴３７２に嵌合し、そのテープライナー押さえ部３６２とシリコンリング３５１との間でテープライナー２ａを挟み繰り出す。
【００３０】  送りローラー軸３５とフリクションバネ３５２と送りローラーギア３５３、及び押さえローラー軸３６と押さえローラーギア３６１は、それぞれロールホルダー３７に軸支されて一体となり、その後、ベース３０に挿入されて、送りローラー回転中心３０５を軸としてわずかに全体がスイング可能となる。押さえローラーギア３６１のボス部３６３が角度規制穴３０８に入りスイング角度が規制される。前述したハンドル３４にはハンドルギア３４４が嵌められた後、ベース３０に挿入され、ハンドル回転中心３０４を軸として回転可能となる。
ブラケット３０３はハンドル３４をベース３０に挿入したあとから図示の位置で固定され、ハンドルに当接して角度を規制する。ハンドル戻しバネ３４５によって、ハンドル３４は反時計方向に付勢されている。
【００３１】  以上により本体３が組み立てられ、ハンドルギア３４４と送りローラーギア３５３と押さえローラーギア３６１は噛合する。
【００３２】  図５及び図６及び図７によって動作を説明する。
紙束１をスリット３０１に挿入した後、ハンドル３４をパンチ角度５分だけ押し下げると、スライダー３４１のパンチ突き出し部３４１ａが、パンチ３１のフランジ面３１ａを押し、パンチ３４１が下降し紙束１に貫通穴を開ける。同時にハンドルギア３４４は送りローラーギア３５３を回転駆動するが、送りローラーギア３５３とロールホルダー３７の間にはフリクションバネ３５２が作用しているので、まずテープホルダー３７が反時計方向にスイングさせられた後、送りローラーギア３５３と押さえローラーギア３６１が噛み合って回転する。
【００３３】  上述のテープホルダー３７のスイングによって、押さえローラー軸３６のテープライナー押さえ部３６２が、テープライナー２ａを紙束１に圧接させる。
【００３４】  同時に、テープライナー２ａは繰り出されるので、繰り出された分が連続して紙束１ａに粘着する。以上でパンチ機構および繰り出し機構及び圧接機構が実現する。
【００３５】  図３及び図５及び図８によってパンチ３１の戻り動作を説明する。
ハンドル３４はパンチ押し下げ位置５ａでパンチ３１を最下点まで押し下げるが、さらにハンドル３４をパンチ逃がし角度６分だけ動かすと、スライダー３４１の斜面部３４１ｂが、ベース３０の作用壁３０２で押されて図８における右方向にスライドし、パンチ突き出し部３４１ａがフランジ面３１から外れるため、パンチ３１は、パンチ戻しバネ３１によって上昇し、通し穴１ａから抜ける。
【００３６】  図９に示すように、本体３は使用者の手８に握られたまま右側に動かされ、テープライナー２ａは折り返すのに十分な長さに引き出される。尚そのとき、もう一方の使用者の手８は紙束１を保持している。この時、送りローラー軸３５及び押さえローラー軸３６が移動するテープライナー２ａによって回されハンドルギア３４３に回転が伝わるが、ラチェット溝３４４ａとラチェット爪３４３ａによって、ハンドル３４には回転力が伝わらない。
さらに、テープライナー２ａがテープライナー押さえ部（図示省略）を左側に押すので、ロールホルダー３７はロールホルダー静止位置４（図示省略）まで戻される。
【００３７】  図３及び図４及び図６及び図９及び図１０によってカッター３３の作動を説明する。
ハンドル３４が図３に示す位置にあるときは、カッター３３は図１０に示す角度位置にあるが、ハンドル３４が押し下げられると、そのカッター突き出し部３４ａが、カッター３３の当接部３３１を押して、カッター３３は図６の角度位置をとる。
【００３８】  操作の最後に、本体３を握って保持している使用者の手８を話すと。ハンドル３４が戻り、カッター突き出し部３４ａが後退するので、カッター戻しバネ３３２によってカッター３３が回され、テープライナー２ａを切断する。尚、このカッター３３の動作は、ロールホルダー３７がロールホルダー静止位置４（図示省略）まで戻ることで生じるテープライナー押さえ部３６２（図示省略）直下の隙間を通るので、切断後に残されているテープライナー２ａはテープライナー押さえ部３６２の下に大きくでることが無く、次回の使用に際して問題を生じない。
【００３９】  以上のように本実施例によって本発明が実現される。
【産業上の利用可能性】
【００４０】  以上述べたように、本発明によって広く市販されている粘着テープを使用して書類等の紙束を綴じることが簡単な操作で可能になる。この綴じ方は、例えば色違いの粘着テープによる分類上のわかりやすさや、粘着テープ表面に印刷を施すことによる訴求効果といった使用上の利点だけに留まらず、金属不使用による安全性あるいは廃棄の容易性も優れるので、本発明は特定分野に留まらず広く産業上の利用可能性を有するものである。
【符号の説明】
【００４１】１    紙束
２    粘着テープロール                      ２ａ  テープライナー
３    本体
３０    ベース
３０１  スリット                            ３０２  作用壁
３０３  ブラケット                          ３０４  ハンドル回転中心
３０５  送りローラー回転中心                ３０６  押さえローラー回転中心
３０７  カッター回転中心                    ３０８  角度規制穴
３１  パンチ                                ３１ａ  フランジ面
３２  パンチ戻しバネ
３３  カッター
３３１  当接部                              ３３２  カッター戻しバネ
３４  ハンドル                              ３４ａ  カッター突き出し部
３４０  ハンドル本体                        ３４１  スライダー
３４１ａ  パンチ突き出し部                  ３４１ｂ  斜面部
３４２  スライダー戻しバネ                  ３４３    ハンドル回転軸
３４３ａ  ラチェット爪                      ３４４    ハンドルギア
３４４ａ  ラチェット溝                      ３４５    ハンドル戻しバネ
３５  送りローラー軸
３５１  シリコンリング                      ３５２    フリクションバネ
３５３  送りローラーギア
３６  押さえローラー軸
３６１  押さえローラーギア                  ３６２  テープライナー押さえ部
３６３  ボス
３７  ロールホルダー
３７１  送りローラー軸支時穴                ３７２  押さえローラー軸支時穴
４    ロールホルダー静止位置
４１  ロールホルダー倒れ角度
５    パンチ角度                              ５ａ  パンチ押し下げ位置
６    パンチ逃がし角度
７    カッター作動方向
８    使用者の手
【図１】
2016055616.tif 000003
【図２】
2016055616.tif 000004
【図３】
2016055616.tif 000005
【図４】
2016055616.tif 000006
【図５】
2016055616.tif 000007
【図６】
2016055616.tif 000008
【図７】
2016055616.tif 000009
【図８】
2016055616.tif 000010
【図９】
2016055616.tif 000011
【図１０】
2016055616.tif 000012